(57)【要約】【課題】カメラ本体とレンズ部分が独立した部品で構成されたカメラシステムにおいて、画像が縦向きあるいは横向きで撮影されたことをどのような種類のカメラ本体でも認識できるようにする。【解決手段】Ｓ１では、ＣＣＤ１０８が撮像信号の出力を開始する。Ｓ２では、重力センサ１５０が角度情報を出力する。レンズＣＰＵ１１８は、重力センサ１５０からの角度情報に基づき、ＣＣＤ１０８の縦横位置を判別する。Ｓ３以降では、画像データに対して、Ｓ２で判別したＣＣＤ１０８の縦横位置を示すデータ（以下、縦横位置データと称す）を付加する処理を行う。ここでは、画像データの保存形式に応じて縦横位置データの付加の方式を変える。【選択図】  図３
2007142661.tif 000002
【特許請求の範囲】
【請求項１】
カメラ本体と、撮影レンズを介して入射した被写体光を受光して撮像信号に変換して出力する撮像素子及び前記撮像素子の出力する撮像信号に基づいて画像データを作成する画像処理部を備えかつ前記カメラ本体に着脱自在に装着されるレンズユニットとを含むカメラシステムにおいて、
前記レンズユニットは、
前記撮像素子の縦横位置を検出し、検出された前記撮像素子の縦横位置を示す縦横位置データを出力する縦横位置検出部と、
前記画像データに前記縦横位置データを付加するデータ付加部と、
前記データ付加部によって前記縦横位置データの付加された画像データを前記カメラ本体に送信する送信部と、
を備えるカメラシステム。
【請求項２】
前記縦横位置検出部は重力センサを含む請求項１に記載のカメラシステム。
【請求項３】
前記レンズユニットは、前記カメラ本体に固定された固定部と、前記撮像素子、前記縦横位置検出部、前記画像処理部を含みかつ前記固定部に回動可能に接続された回動可能部とを含む請求項２に記載のカメラシステム。
【請求項４】
前記カメラ本体は、
前記レンズユニットを回動可能に装着するマウント部と、
前記マウント部に設けられており、前記撮像素子を縦位置又は横位置にそれぞれ設定する回動位置に対応した２対の本体側電気接点と、
前記２対のレンズユニット側電気接点のそれぞれに異なる電圧を印加する電圧印加部と、
を備え、
前記レンズユニットは、装着されたカメラ本体に対して回動することで前記２対のレンズユニット側電気接点のいずれか１対と電気的に接続する１対のレンズ側電気接点を備え、
前記縦横位置検出部は、接続された１対の本体側電気接点を介して前記レンズ側電気接点に印加された電圧に従って前記撮像素子の縦横位置を判定する判定部を含む請求項１に記載のカメラシステム。
【請求項５】
撮影レンズを介して入射した被写体光を受光して撮像信号に変換して出力する撮像素子及び前記撮像素子の出力する撮像信号に基づいて画像データを作成する画像処理部を備え、かつカメラ本体に着脱自在に装着されるレンズユニットにおいて、
前記撮像素子の縦横位置を検出し、検出された前記撮像素子の縦横位置を示す縦横位置データを出力する縦横位置検出部と、
前記画像データに前記縦横位置データを付加するデータ付加部と、
前記データ付加部によって前記縦横位置データの付加された画像データを前記カメラ本体に送信する送信部と、
を備えるレンズユニット。
【発明の詳細な説明】
【技術分野】
【０００１】
本発明はカメラシステム及びレンズユニットに係り、特に交換可能なレンズユニットを用いて縦位置・横位置で撮影した画像を得るカメラシステム及びレンズユニットに関する。
【背景技術】
【０００２】
従来、カメラの姿勢に応じて撮影機能を切り替える技術が様々開発されている。例えば特許文献１によると、カメラには、フイルム１コマ画面の隣接する３辺に沿って縦書き、又は横書きのデータを写し込む３個のデジタルデータ写し込み部が設けられている。水銀スイッチは、水平軸に対し所定角度θだけ傾斜させて配置されており、カメラの３つの姿勢に応じて２つの電極の各々から検知信号を送出する。これらの検知信号は、駆動回路に接続されており、この駆動回路は、デジタルデータ写し込み部を検出信号の組み合わせに応じて選択的に発光させる。これにより、デジタルデータ写し込み部をカメラの姿勢に応じて切り替えて選択的に発光させる切り替えスイッチのローコスト化を図れる。
【０００３】
特許文献２によると、水銀スイッチをカメラのマウントの近傍であって、撮影光軸（マウント中心）を中心とする同一円周上に分散配置し、これら水銀スイッチは移動媒体である水銀の移動方向が該円周の接線方向と略一致するように配置している。これにより、専用のスペースを設けることなく省スペースに効率よく水銀スイッチなどの姿勢検出器を複数配置でき、また、姿勢検出の分解能を上げることができる。
【特許文献１】特開平５−３２３４４１号公報
【特許文献２】特開平６−７４７６７号公報
【発明の開示】
【発明が解決しようとする課題】
【０００４】
ところで近年、カメラ本体とレンズユニットを別体で販売し、カメラ本体にレンズユニットを装着して使用させるカメラシステムの商品形態が提案されている。さらにこのカメラシステムにおいて、レンズユニット内に撮像素子を設けておき、レンズユニットのみをカメラ本体とは独立別個に回動させて撮像素子を縦向き／横向きに配置して撮像できる構成が提案されている。このカメラシステムでは、レンズユニットだけを回動して任意に縦向き／横向きの画像を得ることができる。
【０００５】
ところが、カメラ本体からすると、撮像素子が縦向きで、あるいは横向きで撮影が行われたのかが全く把握できないから、縦向きで撮影した画像を横長の画面で再生して画像の上下部分が切れたりする不都合が生じうる。このような問題は、カメラ本体とレンズ部分が一体で構成される従来技術では解決できない。
【０００６】
本発明はこのような問題点に鑑みてなされたもので、カメラ本体とレンズ部分が独立した部品で構成されたカメラシステムにおいて、画像が縦向きあるいは横向きで撮影されたことをどのような種類のカメラ本体でも認識できるようにすることを目的とする。
【課題を解決するための手段】
【０００７】
上記課題を解決するため、本発明は、カメラ本体と、撮影レンズを介して入射した被写体光を受光して撮像信号に変換して出力する撮像素子及び撮像素子の出力する撮像信号に基づいて画像データを作成する画像処理部を備えかつカメラ本体に着脱自在に装着されるレンズユニットとを含むカメラシステムにおいて、レンズユニットは、撮像素子の縦横位置を検出し、検出された撮像素子の縦横位置を示す縦横位置データを出力する縦横位置検出部と、画像データに縦横位置データを付加するデータ付加部と、データ付加部によって縦横位置データの付加された画像データをカメラ本体に送信する送信部と、を備えた。
【０００８】
本発明によると、カメラ本体とは独立別個のレンズユニットが、撮像素子の縦横位置を示す縦横位置データをカメラ本体に送るから、どのようなカメラ本体にレンズユニットを接続しても、カメラ本体はレンズユニットから送られる縦横位置データによって撮像素子の縦横位置を把握できる。
【０００９】
一例として、縦横位置検出部は重力センサを含む。
【００１０】
すなわち、重力センサにより得られる傾き角度情報から、縦横位置を検出してもよい。
【００１１】
レンズユニットは、カメラ本体に固定された固定部と、撮像素子、縦横位置検出部、画像処理部を含みかつ固定部に回動可能に接続された回動可能部とを含む。
【００１２】
この構成によると、レンズユニット自身を回転させれば、カメラ本体を傾けて縦に構えることなく、縦長の画像を撮影することができる。
【００１３】
カメラ本体は、レンズユニットを回動可能に装着するマウント部と、マウント部に設けられており、撮像素子を縦位置又は横位置にそれぞれ設定する回動位置に対応した２対の本体側電気接点と、２対のレンズユニット側電気接点のそれぞれに異なる電圧を印加する電圧印加部と、を備え、レンズユニットは、装着されたカメラ本体に対して回動することで２対のレンズユニット側電気接点のいずれか１対と電気的に接続する１対のレンズ側電気接点を備え、縦横位置検出部は、接続された１対の本体側電気接点を介してレンズ側電気接点に印加された電圧に従って撮像素子の縦横位置を判定する判定部を含む。
【００１４】
レンズユニットを回動させて、撮像素子を縦位置または横位置に設定すると、それに対応した１対の電気接点がレンズユニットの電気接点と接続する。撮像素子の位置に対応した電気接点には、それぞれ異なる電圧が印加されており、レンズユニットは、この電圧を検出することで撮像素子の縦位置・横位置を判定する。判定結果は縦横位置データとして画像データに付加される。
【００１５】
なお、上記カメラシステムを構成するレンズユニットも本発明に含まれる。この発明は、撮影レンズを介して入射した被写体光を受光して撮像信号に変換して出力する撮像素子及び撮像素子の出力する撮像信号に基づいて画像データを作成する画像処理部を備え、かつカメラ本体に着脱自在に装着されるレンズユニットにおいて、撮像素子の縦横位置を検出し、検出された撮像素子の縦横位置を示す縦横位置データを出力する縦横位置検出部と、画像データに縦横位置データを付加するデータ付加部と、データ付加部によって縦横位置データの付加された画像データをカメラ本体に送信する送信部と、を備えた。
【発明の効果】
【００１６】
本発明によると、カメラ本体とは独立別個のレンズユニットが、撮像素子の縦横位置を示す縦横位置データを画像データに付加してカメラ本体に送るから、どのようなカメラ本体にレンズユニットを接続しても、カメラ本体はレンズユニットから送られる縦横位置データによって各画像の撮像素子の縦横位置を把握できる。
【発明を実施するための最良の形態】
【００１７】
以下、添付図面に従い、本発明の好ましい実施の形態について説明する。
【００１８】
＜第１実施形態＞
図１は、本発明が適用されたカメラシステムの外観構成を示す。同図に示すように、このカメラシステム１０は、レンズユニット１２とカメラ本体１４とで構成されている。
【００１９】
レンズユニット１２は、円筒状に形成されており、その基端部にレンズマウント１２Ａを備えている。一方、カメラ本体１４は、箱状に形成されており、その正面ほぼ中央に本体マウント１４Ａを備えている。レンズユニット１２は、レンズマウント１２Ａをカメラ本体１４の本体マウント１４Ａに装着することにより、カメラ本体１４に着脱自在に取り付けられる。
【００２０】
なお、レンズマウント１２Ａと本体マウント１４Ａには、それぞれレンズマウント接点１２ａと本体マウント接点１４ａとが設けられており（図１では本体マウント接点１４ａのみ図示）、レンズマウント１２Ａを本体マウント１４Ａに装着すると、互いの接点が接触して導通する。
【００２１】
また、本体マウント１４Ａには、図示しないレンズ検出端子が設けられており、このレンズ検出端子により、レンズマウント１２Ａが本体マウント１４Ａに装着されたことが検出できるようにされている。
【００２２】
レンズユニット１２は、後述するように、撮像素子などを内蔵している。
【００２３】
カメラ本体１４の正面には、ストロボ１８やマイクロホン１９等が設けられており、上面には、レリーズボタン２０、電源スイッチ２２、モードダイヤル２４等が設けられている。
【００２４】
レリーズボタン２０は、撮影指示を入力するボタンとして機能し、いわゆる「半押し」と「全押し」の二段式で構成されている。カメラシステム１０は、このレリーズボタン２０の半押しでＡＥ（Automatic Exposure：自動露出）、ＡＦ（Auto Focus：自動焦点合わせ）が機能し、全押しで撮影が実行される。
【００２５】
電源スイッチ２２は、スライド式のスイッチで構成されており、この電源スイッチ２２のスライド操作でカメラシステム１０の電源がＯＮ／ＯＦＦされる。
【００２６】
モードダイヤル２４は、回転式のダイヤルで構成されており、カメラシステム１０のモードを切り換える手段として機能する。カメラシステム１０は、このモードダイヤル２４を回転操作することにより、「撮影モード」と「再生モード」に切り換えられる。
【００２７】
図２は、カメラシステム１０の電気的構成を示すブロック図である。同図に示すように、レンズユニット１２は、撮影光学系１００、撮影光学系駆動／撮影光学系制御部１０２、撮像素子（ＣＣＤ）１０８、アナログ信号処理部１１０、Ａ／Ｄ変換器１１２、信号処理回路１１３、積算回路１１４、タイミングジェネレータ（ＴＧ）１１６、レンズＣＰＵ１１８、ＲＯＭ、ＲＡＭからなるレンズシステムメモリ１２０、レンズ不揮発性メモリ１２２、レンズ通信部としてＵＡＲＴ（低速シリアルドライバ）１４０および高速シリアルドライバ１４２、電源制御部１２６、ＤＣ／ＤＣ変換器１２８、レンズマウント接点１２ａ等で構成されている。
【００２８】
一方、カメラ本体１４は、本体ＣＰＵ２００、操作部（モードダイヤル２４等）２０２、ワークメモリであるＲＡＭ２０４、本体フラッシュＲＯＭ２０６、本体システムメモリであるＲＯＭ２０７、圧縮伸張回路２０９、本体通信部としてＵＡＲＴ（低速シリアルドライバ）２４０および高速シリアルドライバ２４２、カードインターフェイス（Ｉ／Ｆ）２１６、メモリカードスロット２１５、メモリカード２２０、ＬＣＤ制御部２２６、ＬＣＤモニタ２６、ストロボ制御部２３４、ストロボ１８、電源制御部２３６、バッテリ２３８、ＤＣ／ＤＣ変換器２３９、本体マウント接点１４ａ等で構成されている。
【００２９】
デジタルカメラ全体の動作は、本体ＣＰＵ２００によって統括制御されており、本体ＣＰＵ２００は、操作部２０２からの入力に基づき所定の制御プログラムに従ってカメラシステム１０の各部を制御する。本体システムメモリであるＲＯＭ２０７には、この本体ＣＰＵ２００が、実行する制御プログラム、制御に必要な各種データが記録されている。本体ＣＰＵ２００は、このＲＯＭ２０７に格納された制御プログラムに従い、ＲＡＭ２０４を作業領域としながらデジタルカメラの各部を制御する。
【００３０】
なお、レンズＣＰＵ１１８は、本体ＣＰＵ２００からの指令に従いレンズユニット１２の動作を統括制御する。レンズシステムメモリ１２０のＲＯＭには、このレンズＣＰＵ１１８が、実行する制御プログラム、制御に必要な各種データが記録されている。レンズＣＰＵ１１８は、このレンズシステムメモリ１２０のＲＯＭに格納された制御プログラムに従い、レンズシステムメモリ１２０のＲＡＭを作業領域としながらレンズユニット１２の各部を制御する。
【００３１】
撮像素子（ＣＣＤ）１０８は、たとえば原色カラーＣＣＤで構成されており、撮影光学系１００によって、その受光面に結像された被写体の光学像を電気信号に変換する。
【００３２】
アナログ信号処理部１１０は、サンプリングホールド回路、色分離回路、ゲイン調整回路等を含み、ＣＣＤ１０８から出力された画像信号に対して相関二重サンプリング（ＣＤＳ）処理、色分離処理、プリホワイトバランス処理等の所要のアナログ信号処理を施す。
【００３３】
Ａ／Ｄ変換器１１２は、アナログ信号処理部１１０から出力されたアナログの画像信号をデジタルの画像信号に変換して出力する。
【００３４】
デジタル信号処理部１１３は、輝度・色差信号生成回路、ガンマ補正回路、シャープネス補正回路、コントラスト補正回路、ホワイトバランス補正回路、圧縮・伸張処理回路等を含むデジタルシグナルプロセッサ（ＤＳＰ）で構成され、入力された画像信号に所要の信号処理を施して、輝度信号（Ｙ信号）と色差信号（Ｃr,Ｃb 信号）とからなるＹＵＶ信号を生成する。また、ＹＵＶ信号に圧縮処理を施して、圧縮画像データを生成するとともに、圧縮画像データに伸張処理を施してＹＵＶ信号を生成する。
【００３５】
積算回路１１４は、Ａ／Ｄ変換後の画像信号を得て、ＡＥ／ＡＦ制御に必要な物理量を算出する。すなわち、ＡＥ制御に必要な物理量として、１フレームにおけるＲ、Ｇ、Ｂの画像信号の積算値を算出する。レンズＣＰＵ１１８は、この積算回路１１４から得た積算値に基づいて被写体の明るさ（被写体輝度）を算出し、所定のプログラム線図から絞り値とシャッタスピードを決定する。また、ＡＦ制御に必要な物理量として、所定のＡＦエリア内におけるＧ信号の高周波成分の積算値（焦点評価値）を算出する。レンズＣＰＵ１１８は、この焦点評価値が極大となる位置にフォーカスレンズを移動させる（いわゆるコントラストＡＦ）。
【００３６】
タイミングジェネレータ（ＴＧ）１１６は、ＣＣＤ１０８、アナログ信号処理部１１０、Ａ／Ｄ変換器１１２、デジタル信号処理部１１３、積算回路１１４にタイミング信号を与え、各部は、このＴＧから与えられるタイミング信号によって同期がとられている。
【００３７】
ＵＡＲＴ１４０は、レンズＣＰＵ１１８の制御の下、レンズマウント接点１２ａ及び本体マウント接点１４ａを介して接続されたカメラ本体側のＵＡＲＴ２４０との間で制御信号（コマンド信号）の送受信を行う。一方、本体側のＵＡＲＴ２４０は、本体ＣＰＵ２００の制御の下、レンズマウント接点１２ａ及び本体マウント接点１４ａを介して接続されたレンズユニット側のＵＡＲＴ１４０との間で制御信号（コマンド信号）の送受信を行う。
【００３８】
高速シリアルドライバ１４２は、レンズＣＰＵ１１８の制御の下、レンズマウント接点１２ａ及び本体マウント接点１４ａを介して接続されたカメラ本体側の高速シリアルドライバ２４２との間で画像ファイルの送信を行う。一方、本体側の高速シリアルドライバ２４２は、本体ＣＰＵ２００の制御の下、レンズマウント接点１２ａ及び本体マウント接点１４ａを介して接続されたレンズユニット側の高速シリアルドライバ２４２との間で画像ファイルの受信を行う。
【００３９】
電源制御部１２６は、レンズＣＰＵ１１８の制御の下、ＤＣ／ＤＣ変換器１２８を制御し、レンズマウント接点１２ａ及び本体マウント接点１４ａを介してカメラ本体１４側のＤＣ／ＤＣ変換器２３９から供給される電力をレンズユニット１２の各部に供給する。
【００４０】
モニタ２６にスルー画像を表示させる場合は、デジタル信号処理部１１３で連続的に生成されたＹＵＶ信号が、高速シリアルドライバ１４２および２４２を介して順次ＲＡＭ２２２に加えられる。ＬＣＤ制御部２２６は、このＲＡＭ２２２に加えられたＹＵＶ信号を表示用の信号形式に変換して順次モニタ２６に出力する。これにより、モニタ２６にスルー画像が表示され、モニタ２６をファインダとして使用しながらの撮影が可能になる。
【００４１】
ＯＳＤ部２２４は、キャクタジェネレータを含み、本体ＣＰＵ２００の制御の下、モニタ２６に表示するための文字、記号等をＬＣＤ制御部２２６に出力する。ＬＣＤ制御部２２６は、このＯＳＤ部２２４から出力された文字等を画像に重ねてモニタ２６に出力する。
【００４２】
画像を記録する場合は、デジタル信号処理部１１３において、ＹＵＶ信号が所定の圧縮フォーマット（たとえば、ＪＰＥＧ）で圧縮される。圧縮された画像データは、撮影日時や撮影条件（絞り値、シャッタースピード、感度等）等の所要の付属情報が付加された画像ファイルとされた後、カードＩ／Ｆ２１６を介してメモリカードスロット２１８に装着されたメモリカード２２０に格納される。この際、画像ファイルは、所定の規則に従ってメモリカード２２０の記憶領域に格納される。
【００４３】
マイクロホン１９は集音した音声に基づいて音声信号を出力し、マトリクス回路２０７に送る。マトリクス回路２０７では、音声信号のＬ（Ｌｅｆｔ）信号及びＲ（Ｒｉｇｈｔ）信号が作り出される。Ｌ信号とＲ信号はそれぞれ音声記録処理回路２１１でデジタル音声信号に変換されて所定のファイル形式（ＭＰ３など）で動画と同期して記録されるか、単独の音声ファイルとして記録される。
【００４４】
タイマ２０８は、本体ＣＰＵ２００からの指令に基づいて時間を計測し、カレンダ時計２１０は、本体ＣＰＵ２００からの指令に基づいて現在の年月日及び時刻を計測する。
【００４５】
ストロボ制御部２３４は、本体ＣＰＵ２００の制御の下、ストロボ１８の発光を制御する。
【００４６】
電源制御部２３６は、本体ＣＰＵ２００の制御の下、ＤＣ／ＤＣ変換器２３９を制御し、バッテリ２３８から供給される電力をカメラ本体１４の各部及びレンズユニット１２に供給する。
【００４７】
本体ＣＰＵ２００はＩ／Ｏ２３１を介してスイッチ／ＬＥＤ２３２に制御信号を送り、ＬＥＤの発光パターン、発光タイミング、発光時間、発光量を制御する。
【００４８】
重力センサ１５０は、レンズユニット１２の傾きを検出し、この検出結果を角度情報として出力する。
【００４９】
レンズユニット１２をカメラ本体１４に装着し、電源スイッチ２２でカメラシステム１０の電源をＯＮする。このとき、カメラのモードが撮影モードに設定されてない場合は、モードダイヤル２４で撮影モードに設定する。
【００５０】
この状態で被写体に撮影レンズを向け、レリーズボタン２０を半押しすると、操作部２０２から本体ＣＰＵ２００にＳ１ＯＮ信号が出力され、ＡＥ／ＡＦ処理が実行される。すなわち、主要被写体にピントが合わせられるとともに露出が決定される。
【００５１】
この後、レリーズボタン２０が全押しされると、操作部２０２から本体ＣＰＵ２００にＳ２ＯＮ信号が出力され、撮影処理が実行される。すなわち、決定された露出でＣＣＤ１０８が露光され、露光により得られた画像信号が、アナログ信号処理部１１０、Ａ／Ｄ変換器１１２を介してデジタル信号処理部１１３に送られる。デジタル信号処理部１１３では、所要の信号処理が施されてＹＵＶ信号に変換される。生成されたＹＵＶ信号は、更にデジタル信号処理部１１３で圧縮処理が施されて圧縮画像データとされた後、所要の付属情報が付加された画像ファイルとして高速シリアルドライバ１４２および２４２を介してメモリカード２２０に記録される。
【００５２】
このようにしてメモリカード２２０に記録された画像ファイルは、モードダイヤル２４にてカメラのモードを再生モードに設定することにより、メモリカード２２０から読み出され、モニタ２６に再生表示される。
【００５３】
すなわち、モードダイヤル２４を再生モードに設定すると、最後に記録された画像ファイルの圧縮画像データがメモリカード２２０から読み出され、圧縮伸張処理部２０９に加えられる。圧縮伸張処理部２０９は、入力された圧縮画像データに所要の伸張処理を施して非圧縮のＹＵＶデータを生成する。生成されたＹＵＶデータは、ＲＡＭ２２２に加えられ、ＬＣＤ制御部２２６で表示用の信号形式に変換されて、モニタ２６に出力される。これにより、撮影済み画像がモニタ２６に再生表示される。
【００５４】
なお、コマ送りの操作を行うと、次の画像がメモリカード２２０から読み出され、コマ戻しの操作を行うと、一つ前の画像がメモリカード２２０から読み出されて、モニタ２６に再生表示される。
【００５５】
撮影により得られた画像ファイルをメモリカード２２０に記録する際、所定の規則に従ってメモリカード２２０の記憶領域に格納される。上記では、デジタル信号処理部１１３が圧縮したＪＰＥＧ形式の画像ファイルを作成したが、圧縮していないＲＡＷ形式のファイルを作成してもよい。
【００５６】
以下、図３のフローチャートに従い、カメラシステム１０の実行する処理の流れを説明する。この処理は、レリーズボタン２０が押下されたときに開始する。
【００５７】
Ｓ１では、ＣＣＤ１０８が撮像信号の出力を開始する。
【００５８】
Ｓ２では、重力センサ１５０が角度情報を出力する。レンズＣＰＵ１１８は、重力センサ１５０からの角度情報に基づき、ＣＣＤ１０８の縦横位置を判別する。
【００５９】
Ｓ３以降では、画像データに対して、Ｓ２で判別したＣＣＤ１０８の縦横位置を示すデータ（以下、縦横位置データと称す）を付加する処理を行う。ここでは、画像データの保存形式に応じて縦横位置データの付加の方式を変える。
【００６０】
すなわち、Ｓ３では、レンズＣＰＵ１１８は、予め画像の保存形式としてＲＡＷデータが指定されているか否かを判断し、ＲＡＷデータが指定されていればＳ６、ＲＡＷデータが指定されていなければＳ４へ移行する。
【００６１】
Ｓ４では、信号処理部１１３は、ＣＣＤ１０８から得られた撮像信号に基づき、色差信号（YCbCr信号）を得る。
【００６２】
Ｓ５では、色差信号をデータ部分に含み、かつ縦横位置データをヘッダ部分に付加したＪＰＥＧ画像ファイルを作成する。
【００６３】
Ｓ６では、ＣＣＤ−ＲＡＷデータのファイルのタグに、縦横位置データを書き込む。
【００６４】
Ｓ７では、レンズＣＰＵ１１８は、Ｓ５で縦横位置データの付加されたＪＰＥＧ画像ファイルまたはＳ６で縦横位置データの付加されたＣＣＤ−ＲＡＷデータを高速シリアルドライバ１４２を介してカメラ本体１４に転送する。カメラ本体１４の本体ＣＰＵ２００は、高速シリアルドライバ２４２を介してＪＰＥＧ画像ファイルまたはＣＣＤ−ＲＡＷデータを受信し、データメモリ２２２に記憶する。なお、ＪＰＥＧ画像ファイルの代わりにＥｘｉｆ画像ファイルを用いてもよい。
【００６５】
＜第２実施形態＞
ＣＣＤ１０８の縦横位置の検出は重力センサ１５０で行う必然性はなく、その他の機構により担うこともできる。
【００６６】
図４は、カメラ本体１４のマウント接点１４ａの拡大図である。カメラ本体１４のマウント接点１４ａはＣＣＤ１０８の縦横位置に対応した２対の電気接点Ｖ１・Ｖ２ないしＨ１・Ｈ２を備える。カメラ本体１４のレンズマウント１２Ａに対して回動可能かつ電気接点の接触位置で係止可能に装着されるレンズユニット１２は、その電気接点への電気的接続に基づいて縦横位置データを取得することができる。
【００６７】
図５は、レンズユニット１２のレンズマウント１２Ａに設けられた１対の電気接点Ｐ１、Ｐ２を示す。
【００６８】
図６（ａ）に示すように、レンズユニット１２に内蔵された矩形状のＣＣＤ１０８が縦型に配置されるようにレンズユニット１２を装着したとき、接点Ｖ１、Ｖ２はそれぞれ、レンズユニット１２の接点Ｐ１、Ｐ２に電気的に接続する。ＣＣＤ１０８が横型に配置されるようにレンズユニット１２を装着したとき、接点Ｈ１、Ｈ２はそれぞれ、レンズユニット１２の接点Ｐ１、Ｐ２にそれぞれ電気的に接続する。
【００６９】
各接点Ｖ１、Ｈ１、Ｖ２、Ｈ２は、７ピンの差し込み口を備える。このうち、接点Ｖ１に含まれるＰｉｎＶ１は、レンズユニット１２のマウント接点１２ａが接続されると０ｖを印加する。またＰｉｎＶ７はグランド端子に接続する。接点Ｈ１に含まれるＰｉｎＨ１は、レンズユニット１２のマウント接点１２ａが接続されると５ｖを印加する。またＰｉｎＨ７はグランド端子に接続する。
【００７０】
レンズＣＰＵ１１８は、マウント接点１２ａから印加された電圧に基づいてＣＣＤ１０８の縦横位置を判定する。すなわち、電圧検出部１５１によって電圧５ｖが検出されれば横位置、電圧０ｖが検出されれば縦位置と判定する。判定結果は縦横位置データとして出力される。そして、その縦横位置データに基づいて第１実施形態と同様の処理を行う。
【００７１】
図７は本実施形態のレンズユニット１２のブロック構成を示す。ここでは図２と異なり、重力センサ１５０が設けられていない。その代わり、マウント接点１２ａから印加された電圧を検出する電圧検出部１５１が設けられている。その他の部分は図２と同様であるため、詳細は省略する。
【００７２】
本実施の形態によれば、重力センサを用いず、カメラ本体１４のマウント接点１４ａの電圧から画像の縦横を取得することができる。
【００７３】
＜第３実施形態＞
第２実施形態では、カメラマウント１４Ａに対してレンズユニット１２が回動可能に取り付けられており、ＣＣＤ１０８の縦横向きを自在に変えることができる。しかし、カメラマウント１４Ａがレンズユニット１２を回動可能にする機構を設ける必然性はなく、レンズユニット１２自身にＣＣＤ１０８の縦横向きを自在に変えることが可能な機構を設けることもできる。
【００７４】
図８は本実施形態に係るカメラシステム１０の側面図である。本実施形態のレンズユニット１２は、回転可能部分１２ａ、固定部分１２ｂ、および回転可能部分１２ａと固定部分１２ｂとを回動可能に連結するジョイント１２ｃを備える。
【００７５】
固定部分１２ｂは、カメラ本体１４のレンズマウント１２Ａに対して固定的に取り付けられ、回動することはない。
【００７６】
一方、回転可能部分１２ａは、ジョイント１２ｃを回転軸として、固定部分１２ｂに対して回動自在である。ただし、ＣＣＤ１０８の縦横位置を固定できるよう、０°、９０°、−９０°の回転角で係止させるロック機構が設けられている。
【００７７】
回転可能部分１２ａ内部には、図２のレンズユニットに設けられたものと同様のブロックが設けられている。
【００７８】
以下、図９のフローチャートに従い、カメラシステム１０の実行する処理の流れを説明する。この処理は、レリーズボタン２０が押下されたときに開始する。
【００７９】
Ｓ１１では、ＣＣＤ１０８が撮像信号の出力を開始する。
【００８０】
Ｓ１２では、重力センサ１５０が角度情報を出力する。レンズＣＰＵ１１８は、重力センサ１５０からの角度情報に基づき、ＣＣＤ１０８の縦横位置を判別する。
【００８１】
Ｓ１３では、信号処理部１１３は、ＣＣＤ１０８から得られた撮像信号に基づき、色差信号（YCbCr信号）を得る。
【００８２】
Ｓ１４では、Ｓ１２で判別されたＣＣＤ１０８の縦横位置に基づき、撮像信号が縦向きで得られたか否かを判断する。レンズユニット１２が横位置きであれば横向きの撮影画像が得られたと判断してＳ１５に移行し、レンズユニット１２が縦位置きであれば縦向きの撮影画像が得られたと判断してＳ１６に移行する。
【００８３】
Ｓ１５では、色差信号を９０°回転して横向きの画像に変換する。
【００８４】
Ｓ１６では、色差信号をデータ部分に含むＪＰＥＧ画像ファイルを作成する。
【００８５】
Ｓ１７では、レンズＣＰＵ１１８は、ＪＰＥＧ画像ファイルを高速シリアルドライバ１４２を介してカメラ本体１４に転送する。カメラ本体１４の本体ＣＰＵ２００は、高速シリアルドライバ２４２を介してＪＰＥＧ画像ファイルを受信し、データメモリ２２２に記憶する。なお、ＪＰＥＧ画像ファイルの代わりにＥｘｉｆ画像ファイルを用いてもよい。
【００８６】
以上の処理では、カメラを横に構えていなくても一貫して横向き画像を得ることができる。こうすると、横長のＬＣＤ２６で画像の上下が切れてしまうといった不都合が起きない。
【図面の簡単な説明】
【００８７】
【図１】第１実施形態に係るカメラシステムの外観を示す図
【図２】第１実施形態に係るカメラシステムのブロック図
【図３】第１実施形態に係るカメラシステムの動作の流れを示すフローチャート
【図４】第２実施形態に係る本体マウントの正面図
【図５】第２実施形態に係るレンズユニットに設けられた電気接点を示す側面図
【図６】第２実施形態に係る本体マウントの各電気接点に印加される電圧を示す図
【図７】第２実施形態に係るカメラシステムのブロック図
【図８】第３実施形態に係るカメラシステムの外観を示す図
【図９】第３実施形態に係るカメラシステムの動作の流れを示すフローチャート
【符号の説明】
【００８８】
１０…カメラシステム、１２…レンズユニット、１４…カメラ本体、１４ａ…本体側マウント接点、２０…レリーズボタン、２６…ＬＣＤ
【図１】
2007142661.tif 000003
【図２】
2007142661.tif 000004
【図３】
2007142661.tif 000005
【図４】
2007142661.tif 000006
【図５】
2007142661.tif 000007
【図６】
2007142661.tif 000008
【図７】
2007142661.tif 000009
【図８】
2007142661.tif 000010
【図９】
2007142661.tif 000011